(57)【要約】【課題】操作つまみをロッド棒の移動方向に移動することでロックを解除してロッド棒を移動できる落し錠とする。【解決手段】ベース１に移動自在に設けた落し棒１０とロック装置２０を備え、前記ロック装置２０は落し棒１０に取付けた連動部材２１と、ロック部材２２と、操作つまみ２３を有し、この操作つまみ２３が第１の位置の時にはロック部材２２の係止部２２ａがベース１のロック部材係止部４に係止してロックし、この操作つまみ２３を落し棒１０の移動方向に移動して第２の位置とするとロック部材２２の係止部２２ａがロック部材係止部４から離れてロック解除となるようにした落し錠。【選択図】      図２
2004190418.tif 000002
【特許請求の範囲】
【請求項１】
ベース１と、このベース１に沿って移動する落し棒１０と、この落し棒１０をロック、ロック解除すると共に、移動するロック装置２０を備え、
このロック装置２０は、落し棒１０に取付けた連動部材２１と、この連動部材２１にロック位置と非ロック位置に移動自在に設けたロック部材２２と、操作つまみ２３を有し、
この操作つまみ２３は、前記連動部材２１に対して第１の位置と、この第１の位置を境とした両側の第２の位置とに亘って落し棒１０の移動方向に移動自在で、第１の位置の時にはロック部材２２をロック位置とし、第２の位置の時にはロック部材２２を非ロック位置とすることを特徴とする落し錠。
【請求項２】
ベース１はロック部材係止部４を有し、
ロック部材２２は、前記ロック部材係止部４に係止する係止部２２ａを備え、弾性部材によって係止部２２ａがロック部材係止部４に係止したロック位置に保持されている請求項１記載の落し錠。
【請求項３】
ロック部材２２は連結部２２ｂを備え、この連結部２２ｂに設けた軸３１が操作つまみ２３の傾斜溝３０に摺動自在に挿通し、弾性部材によって操作つまみ２３が第１の位置に保持されている請求項２記載の落し錠。
【発明の詳細な説明】
【０００１】
【発明の属する技術分野】
本発明は、門扉・窓・ドア等に用いる落し錠に関する。
【０００２】
【従来の技術】
特許文献１、特許文献２に落し錠が開示されている。
これらの落し錠は、ベースと、このベースに沿って移動する落し棒と、この落し棒をロック、ロック解除すると共に、移動するロック装置を備えている。
前述の特許文献１に開示されたロック装置は、落し棒に取付けた錠止ブロックにロック軸を設け、このロック軸をばねでロック位置に保持し、そのロック軸に連結した操作具を揺動することでロック軸が非ロック位置に移動し、その操作具を移動して落し棒を移動するものである。
前述の特許文献２に開示されたロック装置は、落し棒に取付けたブロックにレバーを揺動自在に取付け、このレバーを揺動することでロック、ロック解除し、そのレバーを移動して落し棒を移動するものである。
【０００３】
【特許文献１】
特開平９−３２３９１号公報
【特許文献２】
特開平９−１５８５８０号公報
【０００４】
【発明が解決しようとする課題】
前述の各落し錠は、操作具、レバーを手で持って落し棒を移動することができるが、その操作具、レバーを手で持って揺動することでロックを解除し、その状態で操作具、レバーを移動することで落し棒を移動するので、揺動操作と移動操作の２段操作となるため落し棒を移動する操作性が悪い。
【０００５】
本発明は前述の課題に鑑みなされたものであり、その目的は、落し棒を移動する操作性を向上した落し錠を提供することである。
【０００６】
【課題を解決するための手段】
第１の発明は、ベース１と、このベース１に沿って移動する落し棒１０と、この落し棒１０をロック、ロック解除すると共に、移動するロック装置２０を備え、
このロック装置２０は、落し棒１０に取付けた連動部材２１と、この連動部材２１にロック位置と非ロック位置に移動自在に設けたロック部材２２と、操作つまみ２３を有し、
この操作つまみ２３は、前記連動部材２１に対して第１の位置と、この第１の位置を境とした両側の第２の位置とに亘って落し棒１０の移動方向に移動自在で、第１の位置の時にはロック部材２２をロック位置とし、第２の位置の時にはロック部材２２を非ロック位置とすることを特徴とする落し錠である。
【０００７】
第２の発明は、第１の発明においてベース１はロック部材係止部４を有し、
ロック部材２２は、前記ロック部材係止部４に係止する係止部２２ａを備え、弾性部材によって係止部２２ａがロック部材係止部４に係止したロック位置に保持されている落し錠である。
【０００８】
第３の発明は、第２の発明においてロック部材２２は連結部２２ｂを備え、この連結部２２ｂに設けた軸３１が操作つまみ２３の傾斜溝３０に摺動自在に挿通し、弾性部材によって操作つまみ２３が第１の位置に保持されている落し錠である。
【０００９】
【作  用】
第１の発明によれば、操作つまみ２３を第１の位置から第２の位置に移動することで落し棒１０のロックが解除され、そのまま操作つまみ２３を移動することで落し棒１０を移動することができる。
このように、操作つまみ２３を落し棒１０の移動方向に移動するだけで落し棒１０を移動できるから、その操作性が向上する。
【００１０】
第２の発明によれば、ロック部材２２の係止部２２ａはロック部材係止部４に係止してロック装置２０は常時ロック状態である。
よって、誤操作によって落し棒１０が自然落下したりすることがない。
【００１１】
第３の発明によれば、傾斜溝３０と軸３１でロック部材２２をロック位置と非ロック位置に確実に移動できる。
また、操作つまみ２３から指をはなすことで弾性部材によって操作つまみ２３が第１の位置に移動してロック部材２２がロック位置となるので、ロック操作が容易であると共に、落し棒１０を移動している際に誤って操作つまみ２３から指が離れたり、すべったりした場合には落し棒１０が直ちにロックされて落下することがない。
【００１２】
【発明の実施の形態】
図１と図２に示すように、ベース１と、このベース１に沿って移動する落し棒１０と、この落し棒１０をロック、ロック解除すると共に、移動するロック装置２０で落し錠を形成している。
前記ベース１は図３に示すように、門扉等の縦框４０に取付けられる。
前記ロック装置２０は、落し棒１０に取付けた連動部材２１と、この連動部材２１にロック位置と非ロック位置に移動自在に設けたロック部材２２と、操作つまみ２３を備えている。
前記連動部材２１はベース１に対して移動する。好ましくはベース１に移動自在に支承される。
前記ロック部材２２は連動部材２１とともに移動する。
前記操作つまみ２３は連動部材２１に対して第１の位置と、この第１の位置を境とした両側の第２の位置とに亘って落し棒１０の移動方向に移動自在で、図３に示す第１の位置の時にはロック部材２２を図３、図４に示すようにロック位置とし、図５に示す第２の位置の時にはロック部材２２を図５、図６に示すように非ロック位置とする。
【００１３】
このようであるから、図３の状態において操作つまみ２３に指を掛けて矢印ａで示す方向に移動して図５に示す一方の第２の位置とすることで、ロック部材２２が非ロック位置に移動し、そのまま指を矢印ａ方向に移動することでロック装置２０とともに落し棒１０が移動する。
この動作は操作つまみ２３を矢印ａと反対方向に移動して他方の第２の位置とした場合も同様である。
よって、操作つまみ２３を落し棒１０を移動する方向に移動する操作のみで落し棒１０を移動でき、その操作性が向上する。
【００１４】
次に各部材の具体形状を説明する。
ベース１は図２に示すように落し棒ガイド部２とロック装置ガイド部３とロック部材係止部４を有する。
例えば、前記ベース１は本体５と裏板６を備えている。前記本体５は矩形断面長尺形状で、その裏面５ａにおける長手方向両端部に突部７が一体的に設けてあり、裏面５ａと表面５ｂに貫通した開口部８を長手方向略全長に亘って有する。この開口部８は段差面８ａを有し、この開口部８が前述のロック装置ガイド部３である。
前記本体５は、その裏面５ａにおける開口部８の幅方向両側に歯部９を長手方向に間隔を置いて複数有し、その歯部９が長手方向に間隔を置いた係止部を形成し、前述のロック部材係止部４としてある。なお、本体５の裏面５ａにラックを取付け、そのラックの歯部をロック部材係止部４としても良い。
前記突部７には第１孔７ａと第２孔７ｂが形成され、その第１孔７ａに落し棒１０が摺動自在に挿通し、前述の落し棒ガイド部２を形成している。
前記第２孔７ｂにはカバー１１が摺動自在に挿通される。
前記裏板６は断面ほぼコ字形状で、本体５の裏面側に取付けられる。
例えば、図４に示すように両側縦板６ａを本体５の溝５ｃに嵌合すると共に、底板６ｂを突部７の突片７ｃに接して取付ける。
【００１５】
前記連動部材２１は開口部８（ロック装置ガイド部３）に沿って移動自在に支承される。
例えば、図７に示すように縦板２１ａと一対の横板２１ｂでほぼコ字形状で、その縦板２１ａの４隅に設けた突片２１ｃが開口部８の段差面８ａに接し、横板２１ｂが本体５の裏面５ａから突出する。
前記横板２１ｂに孔２１ｄが形成され、この孔２１ｄに落し棒１０が挿通し、ピン１２で固定される。
【００１６】
前記ロック部材２２は、前記ロック部材係止部４に係止する係止部２２ａと前記操作つまみ２３に連結される連結部２２ｂを有する。
例えば、幅方向両側部にラック歯２４を有するロック片２５と、縦片２６と一対の横片２７で上向きコ字形状の連結部材２８を備え、ロック片２５の幅方向中間部に連結部材２８の縦片２６を固着具、例えばねじ２９で固着してロック部材２２とする。なお、固着具は加締ピンでも良い。また、ロック片２５に一対の横片２７を一体的に設けても良い。
前記ロック片２５のラック歯２４が前記本体５の歯部９に噛合、離脱する。つまり、そのラック歯２４が前述の係止部２２ａである。
前記一対の横片２７が連結部材２１の縦板２１ａから上方に突出し、操作つまみ２３に連結される。つまり、その横片２７が前述の連結部２２ｂである。
【００１７】
前記操作つまみ２３は、その操作つまみ２３を一方向、他方向に移動するための指掛け部２３ａを有する。この実施の形態では、移動方向両側部に切欠き部を形成して指掛け部２３ａとしてある。なお、移動方向中央部に凹部を形成したり、穴を形成して指掛け部２３ａとしても良いし、移動方向両側部と中央部に凹部を形成して指掛け部２３ａとしても良い。
前記操作つまみ２３とロック部材２２は、移動方向をほぼ９０度変換するカム機構、例えば移動方向に平行に対して斜めとなった一対の傾斜溝３０と、この傾斜溝３０に沿って摺動する軸３１で連結され、操作つまみ２３を移動することでロック部材２２が移動方向と直角方向に移動して第１の位置、第２の位置となる。
【００１８】
具体的には、操作つまみ２３の裏面２３ｂにおける移動方向両側部に突起３２が形成され、この突起３２が開口部８の段差面８ａに接し、その裏面２３ｂと段差面８ａで連動部材２１の突片２１ｃを挟持し、操作つまみ２３は連動部材２１に対して突起３２が横板２１ｂに当たるまで移動し、その後は操作つまみ２３と連動部材２１が一体となって移動する。
【００１９】
前記操作つまみ２３は裏面２３ｂに開口した凹陥部３３が形成され、この凹陥部３３に開口するように一対の傾斜溝３０が形成してある。この一対の傾斜溝３０は連続してほぼＶ字状の溝を形成している。
前記連結部材２８の一対の横片２７が凹陥部３３内に突出し、この横片２７に取付けた前記軸３１が前記傾斜溝３０に摺動自在に挿通している。
前記ロック部材２２は弾性部材、例えば円錐ばね３４でロック位置に保持され、操作つまみ２３を第１の位置としている。例えば、前記軸３１と連動部材２１の縦板２１ａとの間に円錐ばね３４が設けてある。この弾性部材は圧縮コイルばね、板ばね、ゴム体などでも良い。
【００２０】
このようであるから、操作つまみ２３は円錐ばね３４で図３に示す第１の位置に保持される。
この時、軸３１が一対の傾斜溝３０の連続部（Ｖ字状の溝の折曲部）に位置し、ロック片２５のラック歯２４が本体５の歯部９に噛合してロック位置となるので、落し棒１０は移動しない。
操作つまみ２３を矢印ａ方向に移動すると、連動部材２１に対して操作つまみ２３が移動して突起３２が横板２１ｂに当接する。
この時、傾斜溝３０と軸３１によりロック部材２２が円錐ばね３４に抗して図５、図６に示すように移動し、ロック片２５のラック歯２４が本体５の歯部９から離れて非ロック位置となる。
なお、ロック片２５の裏面には溝部２５ａが形成され、ロック片２５が落し棒１０に干渉しないようにしてある。
【００２１】
前記カバー１１は連動部材２１に連結され、その連動部材２１とともに移動して開口部８を閉塞する。
【００２２】
次に、本発明の第２の実施の形態を図８〜図１２に基づいて説明する。
この実施の形態は、ロック部材２２の連結部２２ｂをロッドとしたことが第１の実施の形態と相違し、他の構成は同様である。
例えばロック片２５の幅方向中央部にロッド３５を設けて連結部２２ｂとし、このロッド３５を連動部材２１の縦片２１ａの孔３６及び円錐ばね３４を貫通させて操作つまみ２３の凹陥部３３内に突出する。
操作つまみ２３の傾斜溝３０を挿通した軸３１をロッド３５に貫通してロッド３５と操作つまみ２３を連結する。
【００２３】
この場合の操作は前述と同様で、操作つまみ２３が図９に示す第１の位置の時には図９、図１０に示すようにロック片２５のラック歯２４が本体５の歯部９に噛合してロック部材２２がロック位置となる。
【００２４】
操作つまみ２３を矢印ａ方向に移動して図１１に示す一方の第２の位置とすると、傾斜溝３０と軸３１とロッド３５を介してロック片２５が円錐ばね３４に抗して移動し、図１１、図１２に示すようにロック片２５のラック歯２４が本体５の歯部９から離れ、ロック部材２２が非ロック位置となる。
【００２５】
【発明の効果】
請求項１に係る発明によれば、操作つまみ２３を第１の位置から第２の位置に移動することで落し棒１０のロックが解除され、そのまま操作つまみ２３を移動することで落し棒１０を移動することができる。
このように、操作つまみ２３を落し棒１０の移動方向に移動するだけで落し棒１０を移動できるから、その操作性が向上する。
【００２６】
請求項２に係る発明によれば、ロック部材２２の係止部２２ａはロック部材係止部４に係止してロック装置２０は常時ロック状態である。
よって、誤操作によって落し棒１０が自然落下したりすることがない。
【００２７】
請求項３に係る発明によれば、傾斜溝３０と軸３１でロック部材２２をロック位置と非ロック位置に確実に移動できる。
また、操作つまみ２３から指をはなすことで弾性部材によって操作つまみ２３が第１の位置に移動してロック部材２２がロック位置となるので、ロック操作が容易であると共に、落し棒１０を移動している際に誤って操作つまみ２３から指が離れたり、すべったりした場合には落し棒１０が直ちにロックされて落下することがない。
【図面の簡単な説明】
【図１】本発明の第１の実施の形態を示す落し錠の正面図である。
【図２】本発明の第１の実施の形態を示す落し錠の分解斜視図である。
【図３】落し錠のロック装置部分のロック状態の縦断面図である。
【図４】図３のＡ−Ａ断面図である。
【図５】落し錠のロック装置部分のロック解除状態の縦断面図である。
【図６】図５のＢ−Ｂ断面図である。
【図７】ロック装置の分解斜視図である。
【図８】本発明の第２の実施の形態を示す落し錠の分解斜視図である。
【図９】落し錠のロック装置部分のロック状態の縦断面図である。
【図１０】図９のＣ−Ｃ断面図である。
【図１１】落し錠のロック装置部分のロック解除状態の縦断面図である。
【図１２】図１１のＤ−Ｄ断面図である。
【符号の説明】
１…ベース、２…落し棒ガイド部、３…ロック装置ガイド部、４…ロック部材係止部、８…開口部、９…歯部、１０…落し棒、２０…ロック装置、２１…連動部材、２２…ロック部材、２２ａ…係止部、２２ｂ…連結部、２３…操作つまみ、３０…傾斜溝、３１…軸、３４…円錐ばね（弾性部材）。
【図１】
2004190418.tif 000003
【図２】
2004190418.tif 000004
【図３】
2004190418.tif 000005
【図４】
2004190418.tif 000006
【図５】
2004190418.tif 000007
【図６】
2004190418.tif 000008
【図７】
2004190418.tif 000009
【図８】
2004190418.tif 000010
【図９】
2004190418.tif 000011
【図１０】
2004190418.tif 000012
【図１１】
2004190418.tif 000013
【図１２】
2004190418.tif 000014